【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
ボウラーによるボウリングセンタのボウリングレーンのセルフサービス制御を可能にするモバイルスコアリングシステムであって、
ユーザが提供するモバイルデバイスによってアクセスされまたは実行され、ボウリングゲームスコアリング情報のボウラー入力を可能にしおよび／または表示する少なくとも１つのアプリケーション表示スクリーンを有する、モバイルアプリケーションであって、受け取ったボウラー入力に応じてボウリングレーン制御コマンドを生成するとともに、前記モバイルデバイスの通信インターフェースを制御して前記モバイルデバイスを前記ボウリングセンタのボウリングセンタサーバコントローラにリンクさせてボウラー認証情報と前記ボウリングレーン制御コマンドを送受信するように構成された、モバイルアプリケーション、
前記ボウリングセンタの前記ボウリングレーンの１以上の操作／スコアリング表示システムを制御するように構成されたボウリングセンタ管理コントローラを有する前記ボウリングセンタの自動スコアリングシステムであって、前記ボウリングセンタサーバコントローラと通信するとともに、前記モバイルアプリケーションが送信した前記ボウリングレーン制御コマンドと前記ボウラー認証情報を受信して、制御承認済の選択されたボウリングレーンについて前記モバイルアプリケーションを用いた前記ボウラーによる前記操作／スコアリング表示システムのボウラー制御を可能にする、自動スコアリングシステム、
を備え、
前記ボウリングセンタサーバコントローラは、ボウリングセンタ通信インターフェースを介して前記モバイルアプリケーションから前記ボウリングレーン制御コマンドと前記ボウラー認証情報を受信するように構成されているとともに、前記ボウラーが前記モバイルアプリケーションを用いてボウリングレーンを使用することを承認されているか否かを判定するように構成されており、
前記ボウリングセンタサーバコントローラは、前記判定に基づき、前記モバイルアプリケーションを用いて前記ボウラーが制御する承認済ボウリングレーンを識別し関連付ける１以上のレーン識別値を含む応答を、前記モバイルデバイスに対して送信する
ことを特徴とするモバイルスコアリングシステム。
【請求項２】
前記モバイルアプリケーションは、前記モバイルデバイスの前記通信インターフェースを介して前記自動スコアリングシステムから、前記ボウリングレーンと関連付けられたボウリングスコアリング情報を受信し、
前記モバイルアプリケーションは、１以上の前記レーン識別値に関連する情報を前記少なくとも１つのアプリケーション表示スクリーン上に表示する
ことを特徴とする請求項１記載のモバイルスコアリングシステム。
【請求項３】
前記モバイルデバイスは、前記ユーザが提供する携帯電話、個人情報端末、タブレット、ラップトップ、またはパーソナルコンピュータである
ことを特徴とする請求項１記載のモバイルスコアリングシステム。
【請求項４】
前記モバイルアプリケーションはさらに、前記モバイルデバイスの地理的位置を判定するように構成された測位システムを備え、
前記ボウラー認証情報は、前記モバイルデバイスの前記地理的位置を含み、
前記ボウリングセンタサーバコントローラはさらに、前記モバイルデバイスの前記地理的位置と前記ボウリングセンタの地理的位置をマッチングして前記ボウラーによる１以上の前記ボウリングレーンの制御を承認するように構成されている
ことを特徴とする請求項２記載のモバイルスコアリングシステム。
【請求項５】
前記モバイルアプリケーションは、前記ボウラーに関連付けられた前記ボウリングレーンにおいてプレイされるボウリングゲームの統計を蓄積するように構成されている
ことを特徴とする請求項１記載のモバイルスコアリングシステム。
【請求項６】
前記モバイルアプリケーションは、予約システム、光学機械読取コード、または前記ボウリングセンタのフロントデスクが生成したレシートから、前記ボウラー認証情報に対してアクセスする
ことを特徴とする請求項１記載のモバイルスコアリングシステム。
【請求項７】
前記モバイルスコアリングシステムはさらに、前記ボウリングレーンの１以上のシリーズに隣接した少なくとも１つのスタンドを備え、
前記スタンドは、前記モバイルデバイスと通信してサポートするように構成されている
ことを特徴とする請求項１記載のモバイルスコアリングシステム。
【請求項８】
前記ボウリングゲームスコアリング情報は、ボウラー人数、前記ボウラーの氏名、前記ボウリングゲームをプレイする前記ボウラーの特性を含み、
前記自動スコアリングシステムはさらに、前記ボウリングレーンのピンをリセットするピンセッタコントローラ、オーバヘッド表示システムの１以上の表示を制御するオーバヘッドコントローラ、および１以上のレーン制御コンソールキオスクを備える
ことを特徴とする請求項１記載のモバイルスコアリングシステム。
【請求項９】
前記操作／スコアリング表示システムは、前記ボウリングセンタのピンセッタシステムおよび／または前記ボウリングレーンのスコアリング表示システムを有する
ことを特徴とする請求項１記載のモバイルスコアリングシステム。
【請求項１０】
ユーザのモバイルデバイスを用いてボウリングセンタにおけるボウリングゲームをプレイするためのボウリングレーンの個別ボウラー制御を可能にする方法であって、
前記ユーザのモバイルデバイスとボウリングセンタ通信インターフェースとの間の通信を確立するステップ、
前記モバイルデバイスによるボウリングレーンのボウラー制御を識別および承認するためのボウラー認証情報を送信するステップ、
前記ボウラー認証情報に応じて、前記ボウリングセンタのボウリングレーンを前記モバイルデバイスに対して割り当てるステップ、
前記モバイルデバイスが前記割り当てられたボウリングレーンを制御すること、および前記割り当てられたボウリングレーンにおいてプレイされる前記ボウリングゲームのボウリングゲームスコアリング情報を受信することを承認するステップ、
前記モバイルデバイスからレーン制御コマンドを生成および送信し、前記割り当てられたボウリングレーンおよび受信した前記レーン制御コマンドを示す応答を前記ボウリングセンタの自動スコアリングシステムに対して提供するステップ、
前記モバイルデバイスに関連付けられた前記割り当てられたボウリングレーンにおいてプレイされるボウリングゲームについてのボウリングゲームスコアリング情報を記録し、前記モバイルデバイスに対して送信するステップ、
を有することを特徴とする方法。
【請求項１１】
前記モバイルデバイスが前記割り当てられたボウリングレーンを制御すること、および前記割り当てられたボウリングレーンからボウリングゲームスコアリング情報を受信することを承認するステップは、
前記モバイルデバイスが備える測位システムによって判定された前記モバイルデバイスの地理的位置と前記ボウリングセンタの地理的位置をマッチングするステップを有する
ことを特徴とする請求項１０記載の方法。
【請求項１２】
前記方法はさらに、
前記モバイルデバイスに関連付けられた前記ボウラーの前記割り当てられたボウリングレーンにおいてプレイされるボウリングゲームの統計を蓄積するステップを有する
ことを特徴とする請求項１０記載の方法。
【請求項１３】
前記方法はさらに、
前記ボウラー認証情報をデータベースに対して照会するステップ、
前記ボウラー認証情報をレーン識別値に関連付けるステップ、
前記レーン識別値を前記モバイルデバイスに対して送信して前記割り当てられたボウリングレーンを識別するステップ、
を有することを特徴とする請求項１０記載の方法。
【請求項１４】
前記方法はさらに、
予約システム、光学機械読取コード、または前記ボウリングセンタが生成したレシートを介して、前記ボウラー認証情報に対してアクセスするステップを有する
ことを特徴とする請求項１０記載の方法。
【請求項１５】
前記方法はさらに、
ボウラー氏名、ボウラーハンディキャップ、およびボウラー利き手パラメータを前記モバイルデバイスのディスプレイ上に表示するステップを有する
ことを特徴とする請求項１０記載の方法。
【請求項１６】
前記ボウリングゲームスコアリングコマンドは、前記ボウリングセンタの１以上のディスプレイ上に情報をどのように表示するかをセットし、または前記割り当てられたボウリングレーンにおいて特定のピンセットをリセットさせる
ことを特徴とする請求項１０記載の方法。
【請求項１７】
前記ボウリングゲームスコアリングコマンドは、前記ボウリングセンタの機械システムの動作、前記モバイルデバイスに関連付けられた少なくとも１つのスコアリング表示システムの動作、またはボウリングセンタサービスの動作に対する指示を含む
ことを特徴とする請求項１０記載の方法。